(57)【要約】【課題】使用場所が限定されにくく、子供が姿勢を悪くせずに書き込みやすいホワイトボードの提供を課題としている。【解決手段】本発明に係るホワイトボードＡは、専用の筆記具による書き込み、および、専用の消去具による拭き取り消去が可能な書き込み面３０を有しており、それぞれの表面側に書き込み面３０が形成された第１および第２のボード１０，２０と、これら第１および第２のボード１０，２０を裏面どうしが向かい合うようにしつつ上端付近において相互回動可能に連結する連結手段４０とを備えており、第１のボード１０と第２のボード２０とを連結手段４０を支点として相互回動させることにより、第１のボード１０の下端と第２のボード２０の下端とが所定の間隔を隔てて離間する拡開状態と、第１のボード１０の下端と第２のボード２０の下端とが隣接する折り畳み状態とを選択できる。【選択図】  図１
2008194873.tif 000002
【特許請求の範囲】
【請求項１】
専用の筆記具による書き込み、および、専用の消去具による拭き取り消去が可能な書き込み面を有するホワイトボードであって、
それぞれの表面側に上記書き込み面が形成された第１および第２のボードと、これら第１および第２のボードを裏面どうしが向かい合うようにしつつ上端付近において相互回動可能に連結する連結手段とを備えており、
上記第１のボードと上記第２のボードとを上記連結手段を支点として相互回動させることにより、上記第１のボードの下端と上記第２のボードの下端とが所定の間隔を隔てて離間する拡開状態と、上記第１のボードの下端と上記第２のボードの下端とが隣接する折り畳み状態とを選択できるように構成したことを特徴とする、ホワイトボード。
【請求項２】
上記拡開状態において、一端部が上記第１のボードの裏面適部に支持され、他端部が上記第２のボードの裏面適部に支持される棚部材を備えている、請求項１に記載のホワイトボード。
【請求項３】
上記折り畳み状態において、上記棚部材を上記第１のボードと上記第２のボードとの間に収容可能である、請求項２に記載のホワイトボード。
【請求項４】
上記棚部材は、その一端部が上記第２のボードの裏面適部に回動可能に連結され、他端部が上記第１のボードの裏面適部に係止可能であり、上記折り畳み状態において、上記第２のボードの裏面に沿って折り畳み収納可能である、請求項３に記載のホワイトボード。
【請求項５】
上記棚部材と上記第２のボードとの連結が解除可能である、請求項４に記載のホワイトボード。
【請求項６】
上記第２のボードの裏面から、上記拡開状態において上記棚部材の底面を支持する支持板が突出している、請求項４または５に記載のホワイトボード。
【請求項７】
上記書き込み面は、上記第１のボードまたは上記第２のボードに接着されたビニールシートと、上記ビニールシートに積層された透明なラミネートフィルムとを含んでおり、上記ビニールシートと上記ラミネートフィルムとの間に下絵が形成されている、請求項１ないし５のいずれかに記載のホワイトボード。
【発明の詳細な説明】
【技術分野】
【０００１】
本発明は、子供が絵を描いて遊ぶのに用いられるホワイトボードに関する。
【背景技術】
【０００２】
このような子供向けのホワイトボードとしては、従来、特許文献１に記載されているような、背面に磁石を有し、壁などに取り付けることができるものがある。図８には、冷蔵庫のドアに取り付けられたホワイトボードＸを平面図で示している。このホワイトボードＸは、本体部９１と、本体部９１に取り付けられた書き込み面９３とを備えている。書き込み面９３は、専用の筆記具による書き込み、および、専用の消去具による消去が可能となっている。また、ホワイトボードＸの本体部９１の背面には磁石が取り付けられており、この磁石によってこのホワイトボードＸは、図８に示すように冷蔵庫のドアなどに取り付けて保持させることができる。
【０００３】
しかしながら、ホワイトボードＸは、金属製の壁面がない場所では保持させることができないので、書き込む場合には床面において書き込むことが多い。このため、子供がホワイトボードＸを床面に置いて使用するときに、しゃがみこんで書き込みを行うため姿勢を悪くしてしまう問題があった。
【０００４】
【特許文献１】特開２００１−１０５７８７号公報
【発明の開示】
【発明が解決しようとする課題】
【０００５】
本発明は、上記した事情のもとで考え出されたものであって、使用場所が限定されにくく、子供が姿勢を悪くせずに書き込みやすいホワイトボードの提供を課題としている。
【課題を解決するための手段】
【０００６】
本発明によって提供されるホワイトボードは、専用の筆記具による書き込み、および、専用の消去具による拭き取り消去が可能な書き込み面を有するホワイトボードであって、それぞれの表面側に上記書き込み面が形成された第１および第２のボードと、これら第１および第２のボードを裏面どうしが向かい合うようにしつつ上端付近において相互回動可能に連結する連結手段とを備えており、上記第１のボードと上記第２のボードとを上記連結手段を支点として相互回動させることにより、上記第１のボードの下端と上記第２のボードの下端とが所定の間隔を隔てて離間する拡開状態と、上記第１のボードの下端と上記第２のボードの下端とが隣接する折り畳み状態とを選択できるように構成したことを特徴とする。
【０００７】
このような構成によれば、上記書き込み面に子供が上記専用の筆記具を用いて書き込みを行う際に、背筋を伸ばして座ると、上記書き込み面が子供の正面に位置するようになっている。このため、子供が書き込む際にしゃがみこむ必要がなく、姿勢の悪化を心配する必要がない。さらに、拡開状態にする際に、自立させることができるので使用場所が限定されにくくなっている。また、折り畳み可能なので保管する場所を節約することができる。
【０００８】
好ましい実施の形態においては、上記拡開状態において、一端部が上記第１のボードの裏面適部に支持され、他端部が上記第２のボードの裏面適部に支持される棚部材を備えている。このような構成によれば、上記棚部材に上記専用の筆記具および上記専用の消去具を保管することができ、便利である。
【０００９】
好ましい実施の形態においては、上記折り畳み状態において、上記棚部材を上記第１のボードと上記第２のボードとの間に収容可能である。より好ましくは、上記棚部材は、その一端部が上記第２のボードの裏面適部に回動可能に連結され、他端部が上記第１のボードの裏面適部に係止可能であり、上記折り畳み状態において、上記第２のボードの裏面に沿って折り畳み収納可能である。このような構成によれば、上記棚部材を収容するために余分なスペースを必要としない。
【００１０】
より好ましい実施の形態においては、上記棚部材と上記第２のボードとの連結が解除可能である。このような構成によれば、上記棚部材を、上記第２のボードから取り外すことができ、たとえば、同一の上記棚部材を複数のホワイトボードに対して利用することなどができる。
【００１１】
別の好ましい実施の形態においては、上記第２のボードの裏面から、上記拡開状態において上記棚部材の底面を支持する支持板が突出している。このような構成によれば、上記棚部材を折り畳み時から拡開したときに、上記棚部材が上記第１のボードに支持されなかった場合でも、上記棚部材を支持することができ、上記棚部材が落下することを防ぐことができる。
【００１２】
好ましい実施の形態においては、上記書き込み面は、上記第１のボードまたは上記第２のボードに接着されたビニールシートと、上記ビニールシートに積層された透明なラミネートフィルムとを含んでおり、上記ビニールシートと上記ラミネートフィルムとの間に下絵が形成されている。このような構成によれば、上記下絵が消えることなく、何度でも利用することができる。
【００１３】
本発明のその他の特徴および利点は、添付図面を参照して以下に行う詳細な説明によって、より明らかとなろう。
【発明を実施するための最良の形態】
【００１４】
以下、本発明の好ましい実施の形態につき、図面を参照して具体的に説明する。
【００１５】
図１には、本発明に係るホワイトボードの実施形態の一例を示している。図１に示すホワイトボードＡは、第１のボード1０、第２のボード２０、これらのボード１０，２０の表面側に形成された書き込み面３０、連結手段４０、および、棚部材５０を備えている。図２には図１のII-II線に沿う断面図を、図３には図２のIII-III線に沿う断面図を、図４には図３のIV-IV線に沿う断面図を、図５には図２のV-V線に沿う断面図を示している。図６にはホワイトボードＡを折り畳んだ状態を断面図で示している。図７には、ボード２０と棚部材５０との連結部分の斜視図を示している。
【００１６】
ボード１０は、表面と裏面との間に所定の厚みを有するとともに、正面視において縦長矩形状をした樹脂製の板で形成されており、その表面側には、図２における上端付近に横方向に延びる凹部１１を有しているとともに、この凹１１部より下方に、書き込み面３０を設置するための凹部１２を有している。ボード１０の裏面側には、幅方向（図２における紙面と垂直な方向）に延びる支持板１３と、縦方向（図３における紙面と垂直な方向）に延びるリブ１４とが形成されている。支持板１３の両端付近には、図示しない孔部が形成されている。さらに、凹部１１の中央には、凹部１１よりもさらに凹んでいる取っ手１５が形成されている。この取っ手１５はホワイトボードＡを持ち上げる際に使用される。また、凹部１１の両端付近には窓部１６が２つずつ形成されている。
【００１７】
ボード２０は、ボード１０と同様、表面と裏面との間に所定の厚みを有するとともに、正面視においてボード１０と同じ縦長矩形状をした樹脂製の板で形成されており、その裏面側がボード１０の裏面側と向かい合うように配置されている。このボード２０は、ボード１０と同様に、図２における上端付近に横方向に延びる凹部２１を有しており、この凹部２１より下方に、書き込み面３０を設置するための凹部２２を有している。ボード２０の裏面側には、幅方向（図２における紙面と垂直な方向）に延びる支持板２３と、縦方向（図３における紙面と垂直な方向）に延びるリブ２４とが形成されている。リブ２４には、棚部材５０を連結するための孔部２４ａが形成されている。凹部２１の中央には、凹部２１よりもさらに凹んでいる取っ手２５が形成されている。この取っ手２５は、上記ボード１０の取っ手１５とともに、ホワイトボードＡを持ち上げる際に使用される。また、凹部２１の両端付近には窓部２６が２つずつ形成されている。４つの窓部２６は、それぞれ窓部１６のいずれかと互いに向かい合うように配置されている。
【００１８】
書き込み面３０は、図５に示すように、白色の塩化ビニールシート３１と透明なラミネートフィルム３２とで構成されており、塩化ビニールシート３１の表面にラミネート加工を施すことで形成されている。塩化ビニールシート３１は、その表面に下絵３３が印刷されており、その裏面がボード１０，２０の凹部１２，２２に接着されている。したがって、この書き込み面３０は、透明なラミネートフィルム３２を通して下絵３３が透けて見えるようになっている。この書き込み面３０のラミネートフィルム３２に、専用の筆記具による書き込み、および、専用の消去具による拭き取り消去が行われる。
【００１９】
連結手段４０は、ヒンジ結合によってボード１０とボード２０とを連結しており、図３に示すように、向かい合う窓部１６と窓部２６との一方から延びる連結部４１、他方から延びる連結部４２、および軸心４３とで構成されている。４組の向かい合う窓部１６，２６のうち、隣接する２組に配置された連結手段４０においては、連結部４１と連結部４２との位置関係が逆になっている。図４に、連結手段４０の１つを断面図で示している。
【００２０】
以下、図４に示す連結手段４０を例に説明を行う。連結部４１は、窓部２６の上端および下端においてボード２０と連結された断面Ｕ字状に形成されている。連結部４２は、窓部１６の上端および下端においてボード１０と連結されている断面Ｕ字状に形成されており、図４の紙面に垂直方向において、連結部４１を挟んで向かい合う一対の板状部材で形成されている。軸心４３は、連結部４１，４２に囲まれた円形の断面を有しており、図３によく表れているように、連結部４１と連結されている。また、軸心４３は、図３における左右方向に所定の長さだけ連結部４１から突出しており、この突出した部分において連結部４２と嵌合している。このように連結手段４０は、連結部４１と軸心４３とは固定されているが、連結部４２と軸心４３とは固定されていないので、軸心４３を回転軸としてボード１０とボード２０とを回転可能なように連結している。
【００２１】
棚部材５０は、所定の深さを有する箱状に形成されており、突起部５１と、弾性板５２と、支軸５３とを備えている。突起部５１は、支持板１３に形成された孔部に挿し通すことができるように形成されている。弾性板５２は、棚部材５０の、リブ２４と近接する側面に設けられている。この弾性板５２は、平時においてはリブ２４と当接し、所定の力を加えることでリブ２４から離間可能なように構成されている。支軸５３は、図７に示すように、弾性板５２のリブ２４との当接面に設けられており、孔部２４ａに嵌合および離間可能となっている。棚部材５０は、その側面がリブ１４，２４に挟まれ、支軸５３と孔部２４ａとが嵌合することによって、ボード１０，２０の間で回動可能なように支持されている。一方、棚部材５０の底面の端縁は、支持板１３，２３によって支持される。仮に、ボード１０，２０の間が開きすぎ、棚部材５０が支持板１３に引っかからなくても、棚部材５０は、支軸５３によってリブ２４に連結され、かつ、支持板２３によっても支持されているので、落下することはない。また、突起部５１を、支持板１３に形成された孔部に挿し通すことで、棚部材５０の位置を固定することができる。さらに、弾性板５２をリブ２４から離間させて支軸５３を孔部２４ａから引き抜くことによって、この棚部材５０をボード２０から引き離すことが可能となっている。この棚部材５０は、上記専用の筆記具および上記専用の消去具などを一時的に保管するのに用いることができ、それらの保管物を保持したまま別のホワイトボードＡに取り付けることも可能となっている。
【００２２】
次に、ホワイトボードＡの作用について説明する。
【００２３】
このような構成のホワイトボードＡは、ボード１０とボード２０とを連結手段４０を支点として相互に回動させることにより、図１に示すような開拡状態と、図６に示すような折り畳み状態との２通りの形態をとることができる。図１の開拡状態は、ボード１０の上端とボード２０の上端とが当接することにより、ボード１０とボード２０との間隔をさらに開くことができず、なおかつ、棚部材５０によってボード１０とボード２０との間隔を狭くすることもできない状態である。このため、ホワイトボードＡは開拡状態において、ボード１０およびボード２０が固定されてずれにくくなっている。さらに、ボード１０およびボード２０の下端どうしが一定の間隔だけ離れているので、ホワイトボードＡを床面に安定して設置することができる。一方、折り畳み状態においては、支持板１３と支持板２３とが接触し、リブ１４とリブ２４とが接触している。このとき、棚部材５０は、突起部５１を支持板１３の孔部から引き抜き、支軸５３周りに回動させることによって、ボード２０の上端、支持板２３およびリブ２４によって囲まれる凹部に収容することができる。したがって、ホワイトボードＡは折り畳むことができ、かつ、内部に棚部材５０を収容できるので、保管スペースを小さくすることができる。
【００２４】
ホワイトボードＡにおける書き込み面３０の位置は、ボード１０，２０の範囲内で自在に決めることができるので、子供が背筋を伸ばして座ったときに子供の正面に書き込み面３０が位置するように設計することができる。この場合、子供がホワイトボードＡを用いて絵や図を書くときに、背筋を伸ばして座ったまま書き込むことができる。したがって、絵や図を書くときに子供の姿勢が悪くなる心配をなくすことができる。
【００２５】
さらに、ホワイトボードＡは、取っ手１５，２５を持って持ち運ぶことが容易であり、平坦な地面や床面の上であればどこでも開拡状態にして設置することができる。また、ボード１０，２０が地面または床面に対して傾いており、ボード１０，２０の両方に書き込み面３０が形成されているので、設置するのに必要な床または地面の面積に対して書き込み面３０の面積は広くなっている。
【００２６】
書き込み面３０の塩化ビニールシート３１には下絵３３が描かれており、この下絵３３はラミネートフィルム３２に覆われているので、上記専用の消去具を使用しても消えることはない。このため、ホワイトボードＡでは、何度でも下絵３３をなぞって絵や図柄を描く練習を行うことが可能である。
【００２７】
本発明に係るホワイトボードは、上述した実施形態に限定されるものではない。本発明に係るホワイトボードの各部の具体的な構成は、種々に設計変更自在である。たとえば、連結手段４０の配置や数などは容易に変更可能である。書き込み面３０の構成は、上記実施形態に限らず、書き込みおよびその消去が行える構成であればよい。下絵３３は形成しても形成しなくてもよく、形成した場合どのような意匠であってもよい。また、上記実施形態において、棚部材５０が突起部５１や支軸５３によってボード１０，２０に連結されているが、棚部材５０とボード１０，２０とが連結されていなくても構わない。
【図面の簡単な説明】
【００２８】
【図１】本発明に係るホワイトボードの斜視図である。
【図２】図１のII-II線に沿う断面図である。
【図３】図２のIII-III線に沿う断面図である。
【図４】図３のIV-IV線に沿う断面図である。
【図５】図２のV-V線に沿う断面図である。
【図６】図１のホワイトボードを折り畳んだ状態を示す断面図である。
【図７】本発明に係る棚部材とボードとの連結部を示す斜視図である。
【図８】従来のホワイトボードを示す平面図である。
【符号の説明】
【００２９】
Ａ                        ホワイトボード
１０，２０                ボード
１１，１２，２１，２２    凹部
１３，２３                支持板
１４，２４                リブ
２４ａ                    孔部
１５，２５                取っ手
１６，２６                窓部
３０                      書き込み面
３１                      塩化ビニールシート
３２                      ラミネートフィルム
３３                      下絵
４０                      連結手段
４１，４２                連結部
４３                      軸心
５０                      棚部材
５１                      突起部
５２                      弾性板
５３                      支軸
【図１】
2008194873.tif 000003
【図２】
2008194873.tif 000004
【図３】
2008194873.tif 000005
【図４】
2008194873.tif 000006
【図５】
2008194873.tif 000007
【図６】
2008194873.tif 000008
【図７】
2008194873.tif 000009
【図８】
2008194873.tif 000010